(57)【要約】【課題】気体の排出が必要な場合には通気可能であり、気体の排出が不要な場合には排気ポートを密閉可能な医療機器用キャップを提供すること。【解決手段】血管に接続される医療機器に設けられ気体を排出可能な排気ポート１４１Ｐに装着される医療機器用キャップ１Ａは、排気ポート１４１Ｐと連通する貫通孔１４が形成されたキャップ本体１０Ａと、気体透過性及び液体不透過性を有し、貫通孔１４を塞ぐ通気フィルタ２０と、通気フィルタ２０を覆って貫通孔１４を密閉可能な蓋３０Ａと、貫通孔１４を密閉した状態で蓋３０Ａをキャップ本体１０Ａに係止可能な係止機構４０Ａと、を備える。【選択図】図１
2019050941.tif 000002
【特許請求の範囲】
【請求項１】
血管に接続される医療機器に設けられ気体を排出可能な排気ポートに装着される医療機器用キャップであって、
前記排気ポートと連通する貫通孔が形成されたキャップ本体と、
気体透過性及び液体不透過性を有し、前記貫通孔を塞ぐ通気フィルタと、
前記通気フィルタを覆って前記貫通孔を密閉可能な蓋と、
前記貫通孔を密閉した状態で前記蓋を前記キャップ本体に係止可能な係止機構と、
を備える医療機器用キャップ。
【請求項２】
前記キャップ本体は、内周面にねじ山又はねじ溝が形成された円筒状の外筒部と、該外筒部の内側に配置される内筒部と、前記外筒部及び前記内筒部の一端側を塞ぐ端面部と、を備え、
前記端面部は、前記外筒部及び前記内筒部の一端側における前記外筒部の内側と前記内筒部の外側との間を塞ぎ、
前記貫通孔は、前記内筒部の内側に形成される請求項１に記載の医療機器用キャップ。
【請求項３】
請求項２に記載の医療機器用キャップと、
外周面に前記外筒部の内周面に形成されたねじ山又はねじ溝に螺合可能なねじ溝又はねじ山が形成された前記排気ポートと、を備える医療機器。
【請求項４】
前記蓋は、ヒンジにより前記キャップ本体に開閉可能に取り付けられる請求項１又は２に記載の医療機器用キャップ。
【請求項５】
前記係止機構は、
前記キャップ本体の外側面に設けられる第１ねじ部と、
前記蓋の内側面に設けられ、前記第１ねじ部と螺合する第２ねじ部と、
を備える請求項１又は２に記載の医療機器用キャップ。
【請求項６】
前記医療機器としての血液を体外で循環させる体外循環装置に取り付けられる請求項１２、４又は５のいずれかに記載の医療機器用キャップ。
【請求項７】
請求項１、２、４〜６のいずれかに記載の医療機器用キャップを備える医療機器。
【発明の詳細な説明】
【技術分野】
【０００１】
本発明は、血管に接続される医療機器に設けられた排気ポートに装着される医療機器用キャップ及び該医療機器用キャップを備える医療機器に関する。
【背景技術】
【０００２】
患者の血管に接続される医療機器としては、例えば、人工心肺システム等に用いられる体外循環装置が挙げられる。体外循環装置は、血液ポンプ、人工肺、送血フィルタ及びこれらを接続する回路等により構成され、患者の血管内に気泡を送り込まないように、使用前に構成部品の内部を生理食塩水や各種薬液等の液体で充填するプライミングが行われる。そのため、このような医療機器には、機器の内部の気体を排出するための排気ポートが設けられる場合がある。
【０００３】
排気ポートには、気体透過性及び液体不透過性を有する通気フィルタを備えた通気キャップが装着される。これにより、プライミングが行われるときに、排気ポートから液体を排出させずに気体のみが排出される（特許文献１参照）。
【０００４】
プライミング終了後、体外循環装置を使用する際、各構成部品に陰圧又は陽圧がかかる場合がある。陰圧がかかると、前述の通気フィルタから空気が混入するおそれがある。また、通気フィルタは、液体に接触した直後は外部に液体が漏れ出さない液体不透過性が保たれるが、一定時間経過後や陽圧がかかる場合、液体不透過性が低下して内部の液体が漏出してしまうおそれがある。
よって、現状では、プライミング終了時に、排気ポートを通じての気体の混入や液体の漏出を防ぐため、通気キャップを気体も液体も透過させないキャップに取り換えることが行われている。
【先行技術文献】
【特許文献】
【０００５】
【特許文献１】特開２００９−６６０８７号公報
【発明の概要】
【発明が解決しようとする課題】
【０００６】
上述のキャップを取り換える作業は無菌的に行う必要があり煩雑である。また、内部の液体や排気ポートが露出するため、該当箇所の汚染や、それに伴う感染のリスクが考えられる。
【０００７】
従って、本発明は、気体の排出が必要な場合には通気可能であり、気体の排出が不要な場合には排気ポートを密閉可能な医療機器用キャップ及び当該医療機器用キャップを備える医療機器を提供することを目的とする。
【課題を解決するための手段】
【０００８】
本発明は、血管に接続される医療機器に設けられ気体を排出可能な排気ポートに装着される医療機器用キャップであって、前記排気ポートと連通する貫通孔が形成されたキャップ本体と、気体透過性及び液体不透過性を有し、前記貫通孔を塞ぐ通気フィルタと、前記通気フィルタを覆って前記貫通孔を密閉可能な蓋と、前記貫通孔を密閉した状態で前記蓋を前記キャップ本体に係止可能な係止機構と、を備える医療機器用キャップに関する。
【０００９】
また、前記キャップ本体は、内周面にねじ山又はねじ溝が形成された円筒状の外筒部と、該外筒部の内側に配置される内筒部と、前記外筒部及び前記内筒部の一端側を塞ぐ端面部と、を備え、前記端面部は、前記外筒部及び前記内筒部の一端側における前記外筒部の内側と前記内筒部の外側との間を塞ぎ、前記貫通孔は、前記内筒部の内側に形成されることが好ましい。
【００１０】
また、医療機器は、上記の医療機器用キャップと、外周面に前記外筒部の内周面に形成されたねじ山又はねじ溝に螺合可能なねじ溝又はねじ山が形成された前記排気ポートと、を備えることが好ましい。
【００１１】
また、前記蓋は、ヒンジにより前記キャップ本体に開閉可能に取り付けられることが好ましい。
【００１２】
また、前記係止機構は、前記キャップ本体の外側面に設けられる第１ねじ部と、前記蓋の内側面に設けられ、前記第１ねじ部と螺合する第２ねじ部と、を備えることが好ましい。
【００１３】
また、前記医療機器は、血液を体外で循環させる体外循環装置であることが好ましい。
【００１４】
また、本発明は上記のいずれかに記載の医療機器用キャップを備える医療機器に関する。
【発明の効果】
【００１５】
本発明によれば、通気が必要な場合には、排気ポートに連通する貫通孔を塞ぐ通気フィルタにより排気ポートから気体を排出可能であり、通気が不要な場合には、蓋により通気フィルタを覆って貫通孔を密閉した状態で、係止機構により蓋をキャップ本体に係止させて、排気ポートの密閉状態を保つことができる。
【図面の簡単な説明】
【００１６】
【図１】本発明の第１実施形態に係る医療機器用キャップの断面模式図である。
【図２】第１実施形態に係る医療機器用キャップが装着される排気ポートを備える体外循環装置の説明図である。
【図３Ａ】第１実施形態に係る医療機器用キャップを排気ポートに装着する前の状態を示す断面模式図である。
【図３Ｂ】図３Ａに示す状態から、医療機器用キャップを排気ポートに装着した状態を示す断面模式図である。
【図３Ｃ】図３Ｂに示す状態から、医療機器用キャップの蓋を閉じた状態を示す断面模式図である。
【図４Ａ】本発明の第２実施形態に係る医療機器用キャップの蓋を閉じる前の状態を示す断面模式図である。
【図４Ｂ】図４Ａに示す状態から医療機器用キャップの蓋を閉じた状態を示す断面模式図である。
【発明を実施するための形態】
【００１７】
以下、本発明の一例として、体外循環装置に設けられる排気ポートに装着される医療機器用キャップの好ましい各実施形態について、図面を参照しながら説明する。
【００１８】
本明細書において「排気ポート」とは、気体を排出可能なポートであり、血管に接続される医療機器に設けられて、プライミング時において気体の排出や、医療機器使用時において内部に混入した気泡の除去のために用いられる。
例えば、人工心肺システムに用いられる体外循環装置の場合、排気ポートは、人工肺、熱交換器、送血フィルタ及び回路等の医療機器に設けられる。
また、排気ポートは、医療機器に直接に設けられる排気ポートの他、チューブ、チューブコネクタ及び三方活栓等を介して排気ポートと連通して排気のために用いられるポートも含むものとする。
【００１９】
＜第１実施形態＞
第１実施形態に係る医療機器用キャップ１Ａ（以下、単にキャップ１Ａともいう）について、図１〜図３を参照して説明する。
図１は、キャップ１Ａの断面模式図である。図２は、体外循環装置の構成を説明するための図である。図３Ａ〜図３Ｃは、図２における体外循環装置を構成する人工肺の排気ポート１４１Ｐが設けられた部分の要部Ａの拡大図であり、キャップ１Ａの排気ポート１４１Ｐへの装着態様を説明するための図である。
【００２０】
キャップ１Ａは、図１に示すように、キャップ本体１０Ａと、通気フィルタ２０と、蓋３０Ａと、係止機構４０Ａと、を備える。
【００２１】
キャップ本体１０Ａは、円筒状の外筒部１１と、この外筒部１１の内側に配置される内筒部１２と、外筒部１１及び内筒部１２の一端側（上端側）を塞ぐ端面部１３と、を備える。端面部１３は、外筒部１１及び内筒部１２の一端側における外筒部１１の内側と内筒部１２の外側との間を塞いでいる。これにより、内筒部１２Ａの内側にキャップ本体１０Ａを軸方向に貫通する貫通孔１４が形成される。また、端面部１３の外面（上面）には、平面視円形の凹部１３１が形成される。
また、本実施形態では、外筒部１１の内面には、ねじ山１５が形成される。キャップ本体１０Ａの材質としては、ポリオレフィンを用いることができる。本実施形態では、キャップ本体１０Ａは、ポロプロピレンにより構成される。
【００２２】
通気フィルタ２０は、気体透過性を有し、かつ、液体不透過性有するシートを用いて円形に形成される。通気フィルタ２０としては、ポリテトラフルオロエチレン（ＰＴＦＥ）やガラス繊維を用いることができる。通気フィルタ２０は、キャップ本体１０Ａに形成された貫通孔１４を塞ぐように、キャップ本体１０Ａの端面部１３の外面側（凹部１３１）に配置される。
【００２３】
蓋３０Ａは、キャップ本体１０Ａと同様の素材で形成され、キャップ本体１０Ａの一端（上面）側にヒンジ３１を介して開閉可能に取り付けられる。蓋３０Ａは、通気フィルタ２０を覆って貫通孔１４を密閉可能である。キャップ１Ａの蓋３０Ａは、ヒンジ３１によりキャップ本体１０Ａと接続されるので、蓋３０Ａを開けた状態であってもキャップ本体１０Ａから蓋３０Ａが脱落して紛失することを防ぐことができる。
【００２４】
係止機構４０Ａは、蓋３０Ａを通気フィルタ２０が配置されたキャップ本体１０Ａの上端面に密着させて貫通孔１４を密閉した状態で、蓋３０Ａをキャップ本体１０Ａに係止する。本実施形態では、係止機構４０Ａとして、キャップ本体１０Ａの一端（上端）面の外周部に形成される係合フランジ４１と、係合フランジ４１と係合するように蓋３０Ａに形成される係合片４２と、を備える。係合フランジ４１と係合片４２とを係合させることで、蓋３０Ａをキャップ本体１０Ａに対して係止させることができる。また、係合片４２を係合フランジ４１から外すことで、蓋３０Ａを開くことも可能である。
尚、係止機構４０Ａは、貫通孔１４から蓋３０Ａに１０００ｍｍＨｇ（１３３ｋＰａ）程度の陽圧がかかった状態であっても、蓋３０Ａが開かずに、キャップ本体１０Ａに係止された状態を保持できることが好ましい。
【００２５】
次に、図２を参照して、排気ポートが設けられる体外循環装置の構成について簡単に説明する。
体外循環装置１００は、人工心肺システムに用いられるものであり、血液回路１１０と、血液ポンプ１２０と、貯血槽１３０と、人工肺１４０と、吸引・ベント回路１５０と、複数のローラーポンプ１６０と、を備える。
【００２６】
血液回路１１０は、患者の血液を体外循環させるための回路であり、ポリ塩化ビニル等のチューブにより構成される。この血液回路１１０には、血液ポンプ１２０、貯血槽１３０及び人工肺１４０が取り付けられる。
【００２７】
血液ポンプ１２０は、血液回路１１０に取り付けられて、血液を循環させる。血液ポンプ１２０としては、周知の遠心ポンプやローラーポンプを用いることができる。本実施形態では、血液ポンプ１２０として遠心ポンプが用いられる。
【００２８】
貯血槽１３０は、血液回路１１０における血液ポンプ１２０の上流側に配置される。貯血槽１３０は、患者からの静脈血や回収した血液を貯留する。
【００２９】
人工肺１４０は、血液回路１１０における血液ポンプ１２０の下流側に配置される。人工肺１４０は、貯血槽１３０から血液ポンプ１２０により患者に送り出される血液の温度を調整すると共に、血液に酸素を添加する。人工肺１４０は、血液温度の調節を行う熱交換部１４１と、血液への酸素付加及び血液からの炭酸ガスの除去を行うガス交換部１４２と、血液中の気泡及び異物を除去するフィルタ部１４３と、を備える。
【００３０】
熱交換部１４１は、筐体内に配列されるステンレス管（不図示）の内側に冷水や温水を流すことにより血液と熱交換を行うものであり、血液流入口１４４側に配置される。熱交換部１４１の上方には、排気ポート１４１Ｐが設けられる。
排気ポート１４１Ｐは、プライミング時において熱交換部１４１の内部の気体を排出する場合や、体外循環装置１００の使用時において熱交換部１４１の内部に混入した気泡を除去する場合に用いられる。この排気ポート１４１Ｐの外周には、キャップ１Ａのねじ山１５と螺合するねじ溝１４１１が形成されており、このねじ溝１４１１にキャップ１Ａのねじ山１５を螺合させることで排気ポート１４１Ｐにキャップ１Ａが装着可能に構成される（図３参照）。排気ポート１４１Ｐは、プライミング終了後や、排気ポート１４１Ｐを使用しない場合には密閉されている。
【００３１】
ガス交換部１４２は、筐体内に配列される多孔質中空糸（不図示）の内側に所定濃度の酸素ガスを流すことにより、多孔質中空糸の外側を流れる血液とガス交換を行う。ガス交換部１４２は、熱交換部１４１の下流側に配置される。
【００３２】
フィルタ部１４３は、筐体内に配置されたろ過網により、血液中の気泡及び異物を除去する。フィルタ部１４３は、ガス交換部１４２の下流側（血液流出口１４５側）に配置される。
フィルタ部１４３の上方には、内部の気体を排出するための排気ポート１４３Ｐが設けられる。排気ポート１４３Ｐは、プライミング時においてフィルタ部１４３の内部の気体を排出する場合や、体外循環装置１００の使用時においてフィルタ部１４３において除去された気泡を排出する場合に用いられる。プライミング終了後、排気ポート１４３Ｐは、気体排出ライン１４３Ｌにより貯血槽１３０に接続される。
【００３３】
吸引・ベント回路１５０は、心腔内及び胸腔内に貯留する血液を吸引し、貯血槽１３０へ送るための回路である。吸引・ベント回路１５０には、複数のローラーポンプ１６０が取り付けられる。
【００３４】
次に、図３Ａ〜図３Ｃを参照して、第１実施形態のキャップ１Ａを排気ポート１４１Ｐに適用して体外循環装置１００のプライミングを行う場合について説明する。
【００３５】
図３Ａは、キャップ１Ａを排気ポート１４１Ｐに装着する前の状態を示す。キャップ１Ａを排気ポート１４１Ｐに取り付ける場合、図３Ｂに示すように、キャップ１Ａのねじ山１５と排気ポート１４１Ｐのねじ溝１４１１とを螺合させて装着する。ここで、本実施形態では、外筒部１１の内周面にねじ山１５が形成されたキャップ１Ａと外周面にねじ溝１４１１が形成された排気ポート１４１Ｐとを螺合させて装着できるので、排気ポート１４１Ｐにキャップ１Ａを容易に取り付けられる。蓋３０Ａが開いた状態において、キャップ１Ａは、気体透過性（通気性）を備え、体外循環装置１００のプライミングを行うことができる。体外循環装置１００の内部に残存する気体は排気ポート１４１Ｐからキャップ１Ａの通気フィルタ２０を通って排出され、体外循環装置１００の内部に生理食塩水等のプライミング液が充填される。プライミング終了後、図３Ｃに示すように蓋３０Ａを閉じて、通気フィルタ２０を密閉することにより、キャップ１Ａは密閉され、気体不透過性とすることができる。蓋３０Ａを閉じる直前まで気体透過性だった排気ポート１４１Ｐを、蓋３０Ａを閉じることにより気体及び液体の両方を不透過とすることが可能となり、その結果、貫通孔１４に残留した気体を効果的に除去できる。
【００３６】
また、体外循環装置１００の使用時に、人工肺１４０の熱交換部１４１の内部に気体が混入した場合、キャップ１Ａの蓋３０Ａを一時的に開けて、内部の気体を排出することもできる。
【００３７】
以上説明した第１実施形態のキャップ１Ａによれば、以下のような効果を奏する。
【００３８】
（１）キャップ１Ａを、排気ポート１４１Ｐと連通する貫通孔１４が形成されたキャップ本体１０Ａと、気体透過性及び液体不透過性を有し、貫通孔１４を塞ぐ通気フィルタ２０と、通気フィルタ２０を覆って貫通孔１４を密閉可能な蓋３０Ａと、貫通孔１４を密閉した状態で蓋３０Ａをキャップ本体１０Ａに係止可能な係止機構４０Ａと、を含んで構成した。これにより、キャップ１Ａは、蓋３０Ａを閉じて通気フィルタ２０を密閉することにより、気体不透過性、及び、通気フィルタ２０が備えるものよりも高い液体不透過性を得ることができる。よって、従来のようにプライミング終了後に、通気性を備えるキャップを外して通気性を備えないキャップに交換する作業が不要になるので、排気ポート１４１Ｐにおける汚染の発生や、それに伴う感染のリスクを低減することができる。また、排気ポート１４１Ｐに陽圧がかかった場合でも、排気ポート１４１Ｐから外部に血液や液体が漏れることを抑制でき、内部に陰圧がかかった場合でも、排気ポート１４１Ｐの外部からの気体の混入を抑制することができる。
【００３９】
（２）キャップ本体１０Ａを、内周面にねじ山１５が形成された円筒状の外筒部１１と、この外筒部１１の内側に配置される内筒部１２と、外筒部１１及び内筒部１２の一端側を塞ぐ端面部１３と、を含んで構成し、端面部１３を、外筒部１１及び内筒部１２の一端側における外筒部１１の内側と内筒部１２の外側との間に配置し、貫通孔１４を、内筒部１２の内側に形成した。これにより、キャップ１Ａと外周面にねじ溝１４１１が形成された排気ポート１４１Ｐとを螺合させて装着できるので、排気ポート１４１Ｐにキャップ１Ａを容易に取り付けられる。その結果、キャップ１Ａを排気ポート１４１Ｐに取り付けることにより、排気ポート１４１Ｐを必要に応じて気体透過又は気体不透過に容易に変更できる。
【００４０】
（３）キャップ１Ａの蓋３０Ａを、ヒンジ３１によりキャップ本体１０Ａに開閉可能に取り付けた。これにより、キャップ１Ａの蓋３０Ａは、ヒンジ３１によりキャップ本体１０Ａと接続されるので、蓋３０Ａを開けた状態であってもキャップ本体１０Ａから蓋３０Ａが脱落して紛失することを防ぐことができ、蓋３０Ａの開閉を容易に行うことができる。
【００４１】
＜第２実施形態＞
次に、第２実施形態に係るキャップ１Ｂについて、図４を参照して説明する。本実施形態に係るキャップ１Ｂは、第１実施形態と同様に体外循環装置１００の構成部品に設けられる排気ポートに装着されるものである。第２実施形態については、第１実施形態と同様の構成については、同じ符号を付して説明を省略する。第２実施形態のキャップ１Ｂは、蓋３０Ｂの構成及び係止機構４０Ｂの構成において第１実施形態と異なる。
【００４２】
図４Ａは、キャップ１Ｂの蓋３０Ｂが開いた状態の図を示し、図４Ｂは、蓋３０Ｂが閉じた状態の図を示す。
【００４３】
第２実施形態では、蓋３０Ｂは、キャップ本体１０Ｂとは別体に構成される。そして、蓋３０Ｂは、通気フィルタ２０を覆うようにキャップ本体１０Ｂに着脱可能に取り付けられる。
【００４４】
第２実施形態では、係止機構４０Ｂは、キャップ本体１０Ｂの外側面に形成される第１ねじ部としてのねじ溝４３と、ねじ溝４３と螺合するように蓋３０Ｂの内側面に形成される第２ねじ部としてのねじ山４４と、を備える。
これにより、第２実施形態のキャップ１Ｂでは、蓋３０Ｂのキャップ本体１０Ｂへの螺合状態を変えることで、蓋３０Ｂとキャップ本体１０Ｂの上端面とを密着させた状態（蓋３０Ｂを閉じた状態、図４Ｂ参照）と、蓋３０Ｂとキャップ本体１０Ｂの上端面とを密着させない状態（蓋３０Ｂを緩めた（開けた）状態、図４Ａ参照）と、を変更可能としている。
また、第２実施形態では、キャップ本体１０Ｂに蓋３０Ｂを取り付けた状態において、係止機構４０Ｂを構成するねじ溝４３とねじ山４４との間には、隙間が形成されており、この隙間を通じて空気の流通が可能となっている。
【００４５】
これにより、図４Ａに示すように、蓋３０Ｂとキャップ本体１０Ｂの上端面とが密着しない緩めた状態で、蓋３０Ｂをキャップ本体１０Ｂに取り付けることで、通気フィルタ２０の通気性を保ちつつ、キャップ本体１０Ｂから蓋３０Ｂが脱落して紛失することを防ぐことができる。
また、蓋３０Ｂが緩くキャップ本体１０Ｂに取り付けられた状態（図４Ａ参照）から、蓋３０Ｂを回して締め付けるだけで、図４Ｂに示すように通気フィルタ２０を密閉することができる。
【００４６】
以上説明した第２実施形態のキャップ１Ｂによれば、上述した（１）の効果を奏する他、以下のような効果を奏する。
【００４７】
（４）蓋３０Ｂを、通気フィルタ２０を覆うようにキャップ本体１０Ｂに取り付け、係止機構４０Ｂを、キャップ本体１０Ｂの外側面に設けられる第１ねじ部（ねじ溝４３）と、蓋３０Ｂの内側面に設けられ、第１ねじ部（ねじ溝４３）と螺合する第２ねじ部（ねじ山４４）と、を含んで構成した。これにより、蓋３０Ｂとキャップ本体１０Ｂの上端面とが密着しない緩めた状態で、蓋３０Ｂをキャップ本体１０Ｂに取り付けることで、通気フィルタ２０の通気性を保ちつつ、キャップ本体１０Ｂから蓋３０Ｂが脱落して紛失することを防ぐことができる。また、蓋３０Ｂを回すだけで、通気フィルタ２０を密閉状態又は通気状態とすることができ、蓋３０Ｂの開閉を容易に行うことができる。また、蓋３０Ｂの開閉時に通気フィルタ２０に触れにくい構造であるので、通気フィルタ２０外面の無菌状態を保つことができる。よって、排気ポート１４１Ｐの感染のリスクをより低減できる。
【００４８】
以上、本発明の医療機器用キャップの好ましい各実施形態について説明したが、本発明は、上述した実施形態に制限されるものではなく、適宜変更が可能である。
【００４９】
例えば、第１実施形態及び第２実施形態では、本発明のキャップを、陽圧又は陰圧がかかる体外循環装置の排気ポートに用いたが、これに限らない。即ち、本発明のキャップは、血管に接続される医療機器を構成する気体を排出可能な排気ポートであれば、他の排気ポートにも適用可能である。
【００５０】
また、第１実施形態及び第２実施形態では、本発明を体外循環装置としての人工心肺装置に適用したが、これに限らない。即ち、本発明を血液透析装置等の他の体外循環装置に適用してもよい。
【００５１】
また、係止機構として、第１実施形態では、係合フランジ４１と係合片４２とが係合する構成を示し、第２実施形態では、第１ねじ部と第２ねじ部とが係合する構成を示したがこれらに限らない。キャップ本体に対して通気フィルタを密閉した状態で蓋を係止可能な構成であれば、係止機構としてどのような構成を用いてもよい。
【００５２】
また、第２実施形態では、キャップ本体１０Ｂの外側面にねじ溝４３を形成し、蓋３０Ｂの内側面にねじ山４４を形成したが、これに限らない。即ち、キャップ本体の外側面にねじ山を形成し、蓋の内側面にねじ溝を形成してもよい。
【符号の説明】
【００５３】
１Ａ、１Ｂ  医療機器用キャップ
１０Ａ、１０Ｂ  キャップ本体
１４  貫通孔
２０  通気フィルタ
３０Ａ、３０Ｂ  蓋
３１  ヒンジ
４３  ねじ溝（第１ねじ部）
４４  ねじ山（第２ねじ部）
４０Ａ、４０Ｂ  係止機構
１００  体外循環装置（医療機器）
１４１Ｐ  排気ポート
【図１】
2019050941.tif 000003
【図２】
2019050941.tif 000004
【図３Ａ】
2019050941.tif 000005
【図３Ｂ】
2019050941.tif 000006
【図３Ｃ】
2019050941.tif 000007
【図４Ａ】
2019050941.tif 000008
【図４Ｂ】
2019050941.tif 000009